(57)【要約】【課題】充分な強度と高い排水能力を達成する屋根構造材を提供する。【解決手段】発泡樹脂製のベース材１と平板パネル２，…の表面材でなる上層部との二層で形成される屋根構造材において、ベース材１の表面に、水切部９からベース材１の軒側端に至る、板金１７，…が載置配設される主溝１８ａ，…，水切部９から軒側に向け主溝１８ａ，…と平行に設けられた副溝１８ｂ，…，及び副溝１８ｂ，…の軒側端と連通しベース材１の軒側に向けて斜設され主溝１８ａ，…と連通する斜設溝１８ｃ，…を設け、隣接する平板パネル２，２間の隙間から平板パネル２，…の裏面に伝わった雨水をも効率的に排水可能とした。平板パネル２，…は一切穿孔されず強度を維持したままベース材１上に接着され、ベース材１の水切部９に止着された固定金物１９，…で支承される。【選択図】図８
0003146077.tif 000002
【実用新案登録請求の範囲】
【請求項１】
軒側端の下部を突出させて設けた差込部７，隣接するベース材の前記差込部７が差し込めるよう棟側端の下部を切り込んだ押さえ部８，棟側端の表面に突設された水切部９，及び野地板３との間に一定の空気層及び流水部１１，…を確保するために裏面に突設された複数の縦桟部１０，…を有する発泡樹脂製のベース材１，ベース材１上に複数枚載置・接着された平板パネル２，…の表面材，及び相互に左右隣接する平板パネル２，２の隙間の下方のベース材１上に載置配設された板金１７，…を具え、
前記水切部９が、ベース材１の表面の棟側端付近に突設された横方向に延びる１本の連続した突条１４ａと、横方向に並ぶ複数の断続した突条１４ｂ，…とで構成されてなる屋根構造材であって、
前記ベース材１の表面には、水切部９からベース材１の軒側端に至る、前記板金１７，…が載置配設される主溝１８ａ，…，水切部９から軒側に向け主溝１８ａ，…と平行に設けられた副溝１８ｂ，…，及び副溝１８ｂ，…の軒側端と連通しベース材１の軒側に向けて斜設され主溝１８ａ，…と連通する斜設溝１８ｃ，…が設けられてなることを特徴とする屋根構造材。
【請求項２】
棟側端が下方に向け略Ｌ字状に屈曲された係止部１９ｂ，軒側端が上方に向け略コ字状に屈曲された支承部１９ｃ，及び釘孔１９ａ，…を有する固定金物１９，…が、
前記係止部１９ｂが水切部９の棟側端に係止されると共に、前記釘孔１９ａ，…を貫通する釘４，…で断続した突条１４ｂ，…上に釘止めされることによって、前記ベース材１に固定され、
且つ、棟側に隣接するベース材上に載置・接着された平板パネル２，…の軒側端が、前記支承部１９ｃ，…に嵌合され支承されてなることを特徴とする請求項１に記載の屋根構造材。
【請求項３】
前記釘４，…が、前記ベース材１の裏面棟側端と、棟側に隣接するベース材の裏面軒側端との隙間に挿通され野地板に止着されてなることを特徴とする請求項２に記載の屋根構造材。
【考案の詳細な説明】
【技術分野】
【０００１】
本考案は、防水シートを敷設した野地板上にベース材を敷設し、さらにベース材上に表面材として平板パネルを載置、接着、釘留めしてなる屋根構造材に関する。
【背景技術】
【０００２】
野地板と、その上に葺かれる屋根瓦裏面との間の空間に、ベース材である発泡樹脂の形成体を設けた屋根施工構造は従来から知られている。
【０００３】
例えば、屋根野地板とその上に葺かれる屋根瓦表面との間の空間に充填可能な断面形状とされた発泡樹脂より成る成形体の瓦葺き足方向の上方側端部が、扁平厚の差口とされていると共に、下方側端部の裏面角部には、内奥に瓦葺き幅調整用リブを有する前記差口嵌挿用空所部が形成され、前記本体上面には前記差口上面より本体下方側端部に至る連通した排水溝が複数条形成され、前記差口には瓦桟止着用スペーサの嵌着孔が前記排水溝の間に貫設されたことを特徴とする断熱下地材が開示されている（例えば、特許文献１参照）。
【０００４】
本考案の考案者らは、発泡樹脂製のベース材１上に平板パネル２の表面材が複数枚載置・接着されてなる屋根構造材であって、前記ベース材１が、その軒先方向の先端部に下部が突出した差込部７を、また棟方向の先端部には隣接するベース材１の前記差込部が差し込めるよう下部が切り込まれた押さえ部８を具え、
かつ棟方向の先端付近の表面に水切部９を、さらにその下流の表面に複数の釘受け６となる突起が突設され、
さらにまた裏面には野地板３との間に一定の空気層及び流水部１１を確保するための複数の縦桟部１０が突設され、そして該縦桟部１０の下面には、打ち込まれる釘４に沿って流入する雨水を排出する釘穴水抜ドーム１２を前記釘受け６の下方に相当する位置に設け、さらに前記釘穴水抜ドーム１２の棟側及び軒先側にそれぞれ近接して逆Ｖ字状の溝１３，１３が設けられているとともに平板パネル２，２間の隙間に板金１７を配設してなることを特徴とする屋根構造材を提案した（以下、先願構造材と称する）。
【０００５】
先願構造材は、施工工法の簡素化と維持管理の経費節減に寄与し、防水性に優れた屋根構造体を提供できる。また、先願構造材は断熱・防音能力に優れ、長期間快適な居住環境を確保できる。更にまた、先願構造材によれば、地震・台風・振動に耐性を持つ屋根構造が施工できる（例えば、特許文献２参照）。
【０００６】
【特許文献１】実開平２−１１９２５号公報
【特許文献２】登録実用新案第３１４２２４２号公報
【考案の開示】
【考案が解決しようとする課題】
【０００７】
しかしながら、上記特許文献１に記載の考案によれば、相互に上下連設された屋根瓦の間から浸入した雨水が、相互に上下連接された断熱下地材間の当接隙間や瓦桟止着用スペーサーと嵌着穴との隙間から、断熱下地材の下方に浸入し充分に排水されない問題があった。前記雨水は、更に、釘を伝って、野地板の内部にまで到る虞もある。上記の様な雨水の浸入は、特に横殴りの雨の場合で顕著である。
【０００８】
前記浸入した雨水による湿度上昇は菌類の繁殖の原因となり、衛生的な住環境を侵し、又は野地板他の木材を腐食させ家屋の耐用期間を短くしてしまう。また、屋内の湿度上昇や漏水を惹起し、健全な住環境を侵すこともあった。
【０００９】
特許文献２に記載の屋根構造材は、上述の通り、安定に固定され、且つ、高い排水能力を発揮し雨水の浸入を効果的に防止できるものの、表面材として用いられる平板パネルを穿孔する必要があり、該平板パネルの加工に手間と費用を要していた。また、平板パネルの穿孔に近い部分が脆弱となり、前記平板パネルの作成や運搬の際に、又は施工後に前記穿孔付近に物体が落下することによって、平板パネルが破損する虞があった。
【００１０】
左右隣接する平板パネル間の隙間から平板パネルの裏面に伝わった一部の雨水が、ベース材と平板パネルの間に残存し、排水され難い問題もあった。
【００１１】
上記問題点に鑑み、本考案は、平板パネルの穿孔の手間を要せず、充分な強度とより高い排水能力を達成する屋根構造材を提供することを課題とする。また、ベース材と平板パネルの間に浸入した雨水をも効率的に排水可能な、屋根構造材を提供することを課題とする。
【課題を解決するための手段】
【００１２】
上記課題を解決するために、本考案の屋根構造材は、
軒側端の下部を突出させて設けた差込部７，隣接するベース材の前記差込部７が差し込めるよう棟側端の下部を切り込んだ押さえ部８，棟側端の表面に突設された水切部９，及び野地板３との間に一定の空気層及び流水部１１，…を確保するために裏面に突設された複数の縦桟部１０，…を有する発泡樹脂製のベース材１，ベース材１上に複数枚載置・接着された平板パネル２，…の表面材，及び相互に左右隣接する平板パネル２，２の隙間の下方のベース材１上に載置配設された板金１７，…を具え、
前記水切部９が、ベース材１の表面の棟側端付近に突設された横方向に延びる１本の連続した突条１４ａと、横方向に並ぶ複数の断続した突条１４ｂ，…とで構成されてなる屋根構造材であって、
前記ベース材１の表面には、水切部９からベース材１の軒側端に至る、前記板金１７，…が載置配設される主溝１８ａ，…，水切部９から軒側に向け主溝１８ａ，…と平行に設けられた副溝１８ｂ，…，及び副溝１８ｂ，…の軒側端と連通しベース材１の軒側に向けて斜設され主溝１８ａ，…と連通する斜設溝１８ｃ，…が設けられてなる。
【００１３】
第２の考案は、
棟側端が下方に向け略Ｌ字状に屈曲された係止部１９ｂ，軒側端が上方に向け略コ字状に屈曲された支承部１９ｃ，及び釘孔１９ａ，…を有する固定金物１９，…が、
前記係止部１９ｂが水切部９の棟側端に係止されると共に、前記釘孔１９ａ，…を貫通する釘４，…で断続した突条１４ｂ，…上に釘止めされることによって、前記ベース材１に固定され、
且つ、棟側に隣接するベース材上に載置・接着された平板パネル２，…の軒側端が、前記支承部１９ｃ，…に嵌合され支承されてなる第１の考案に係る屋根構造材である。
【００１４】
第３の考案は、
前記釘４，…が、前記ベース材１の裏面棟側端と、棟側に隣接するベース材の裏面軒側端との隙間に挿通され野地板に止着されてなる第２の考案に係る屋根構造材である。
【考案の効果】
【００１５】
本考案の屋根構造材は、先願構造材の与える効果に加え、以下の効果を奏する。
【００１６】
平板パネルを一切穿孔せずに、発泡樹脂製のベース材でなる下層部と平板パネルの表面材でなる上層部との二層で形成される屋根材を形成できる。略矩形平板状の平板パネルを用いるのみで良く、各平板パネルを穿孔する作業を要しないから、加工のために余剰の手間及び費用を掛けることを回避できる。平板パネルが穿孔されていないから、該穿孔に近い脆弱な部分が無く、平板パネルの作成や運搬に際して、又は物体が意図せず平板パネル上に落下したとしても、平板パネルが破損し難い。
【００１７】
雨水の一部が左右隣接する平板パネル間の隙間から平板パネルの裏面に伝ったとしても、当該雨水は、副溝から斜設溝へ、次いで主溝へと導かれる。前記雨水は、更に、主溝に載置された板金上を流下し、順次下段の平板パネル上に導かれ軒先から排水されるから、より優れた防水効果を持つ屋根構造材を提供できる。
【００１８】
叙上の通り、高い排水能力を発揮する本考案によれば、屋根及び屋内の湿度が上昇し居住空間を不快にし、又は、当該湿度上昇のために菌類が繁殖し衛生的な住環境を侵し若しくは木材を腐食させることを回避することができる。また、本屋根構造材が、発泡樹脂製のベース材を備えているので断熱、防音能力にも優れ、長期間、快適な居住環境を確保できる。
【００１９】
第２の考案によれば、ベース材に固定された固定金物が、棟側に隣接するベース材上に載置・接着された平板パネルの軒側端に嵌合され、該平板パネルを支承する構成とされていて、平板パネルが台風によって吹き上げられて剥離し、又は地震等による揺れのためにずれることを防止できる。
【００２０】
ベース材表面の平板パネルが載置される部分には一切の釘打ち部が無く、より高い位置にある断続した突条にのみ釘打ちされるから、雨水が釘を伝って野地板や屋内に浸入することが回避され、より高い防水能力を発揮する。
【００２１】
第３の考案によれば、釘が、棟側に隣接するベース材を貫通せずに野路板に至る。ベース材を軒先から順次１段ずつ配設でき、屋根材の設置作業を簡素化することができる。
【考案を実施するための最良の形態】
【００２２】
以下、図面に基づいて本考案を実施するための最良の形態について説明する。
【００２３】
図１は、本考案に係るベース材を示す斜視図である。図２は、本考案に係るベース材を示す裏面斜視図である。図３は、本考案に係るベース材を示す上面図である。図４は、図３のＡ−Ａ線断面図である。図５は、本考案に係るベース材を示す図面で、（ａ）は側面図であり、（ｂ）は図３のＢ−Ｂ線断面図である。図６は、図５（ａ）のＰ矢視平面図である。
【００２４】
図７は、本考案に係る部材を示す図面で、（ａ）は板金の斜視図、（ｂ）は固定金物の斜視図、（ｃ）はスタート桟の斜視図である。
【００２５】
図８は、平板パネルの一部を切り開いて示す、本考案の屋根構造材の分解斜視図である。図９は、本考案の屋根構造材の裏面斜視図である。図１０は、本考案の屋根構造材を示す側方視断面図である。図１１は、軒先付近の屋根構造材を示す側方視断面図である。
【００２６】
尚、上記図面はあくまでも本考案を実施する場合の一例であって、請求の範囲に記載する技術範囲を限定するものではない。
【００２７】
本考案に係る屋根構造材は、図８及び図１０に示される様に、発泡樹脂製のベース材１でなる下層部と平板パネル２，…の表面材でなる上層部との二層で形成される。
【００２８】
ベース材１の材質は、発泡樹脂であれば特に限定されず、例えば発泡ポリスチレン，発泡ポリプロピレン，発泡ポリウレタン，発泡フェノール樹脂が用いられるが、高い断熱能と適度な剛性を有し、加工及び成型が容易で、安価に入手可能な発泡ポリスチレンが特に好適に用いられる。ベース材１は、図１乃至図６に示される様に、軒側端の下部を突出させて差込部７を形成すると共に、棟側端の下部を切り込んで押さえ部８を形成し、隣接するベース材１の前記差込部７が差し込める様にされている。
【００２９】
平板パネル２，…の材質は、剛性を有するものであれば特に限定されず、例えば、セラミックス，石材等を用いることができる。
【００３０】
ベース材１の裏面には、図２に示される様に、防水シート１６と野地板３との間に一定の空気層及び流水部１１を確保するための複数の縦桟部１０，…が突設されている。
【００３１】
縦桟部１０，…は、ベース材１裏面における中間部から軒側端に至る連続した縦桟１０ａ，…と、棟側端付近の断続した縦桟１０ｂ，…からなる。連続した縦桟１０ａ，…は、棟側端が逆Ｖ字状とされた、略五角形状に形成されている。断続した縦桟１０ｂ，…は、１本の連続した縦桟１０ａに対して、該連続した縦桟１０ａの幅に２列設けられていて、その突設高さは連続した縦桟１０ａと略等しくされている。縦方向に隣り合う断続した縦桟１０ｂ，１０ｂとの間，及び連続した縦桟１０ａと断続した縦桟１０ｂとの間には、縦桟部１０の中央棟側から側方軒側へ向けて溝１３，…が設けられている。
【００３２】
図９及び図１０に示される様に、上記縦桟部１０，…によって、ベース材１と防水シート１６及び野地板３との間に一定の空気層及び流水部１１，…が確保されるから、互いに隣接するベース材１，１の間から万一雨水が浸入したとしても、該雨水は空気層及び流水部１１，…を通って軒先方向に流出する。隣接するベース材１，１の差込部７及び押さえ部８の間から縦桟部１０，…の棟側端に浸入した雨水も、幅の狭い断続した縦桟１０ｂ，…の棟側端付近には留まり得ず、断続した縦桟１０ｂ，…の間から溝１３，…を通って空気層及び流水部１１，…に導かれ、軒先方向に流出する。
【００３３】
図中においては、断続した縦桟１０ｂ，１０ｂが各列２本ずつ設けられているが、断続した縦桟１０ｂ，…の数は必ずしもこれに限られず、各列１本の断続した縦桟１０ｂが設けられているのみでも良く、又は、各列３本以上の断続した縦桟１０ｂ，…が列設されていても良い。また、１本の連続した縦桟１０ａに対して２列の断続した縦桟１０ｂ，…が設けられていれば、連続した縦桟１０ａ，…及び断続した縦桟１０ｂ，…の形状は特に限定されず、例えば、棟側端の断続した縦桟１０ｂ，１０ｂが略三角柱状とされていても良い。
【００３４】
ベース材１の棟側端の表面には、水切部９が突設されている。水切部９は、図１及び図３に示される様に、横方向に延びる１本の連続した突条１４ａと、横方向に並んだ複数本の断続した突条１４ｂ，…とで構成されている。前記図中には、断続した突条１４ｂ，…を２列のみ記載したが、１列であっても良く、あるいは３列以上設けられていても良い。また、連続した突条１４ａ及び断続した突条１４ｂ，…の形状は、特に限定されない。
【００３５】
例えば横殴りの雨のために、上下連設された平板パネル２，２の間から雨水が浸入・逆流したとしても、該雨水は、水切部９で堰き止められて平板パネル２上に戻され、順次下段の平板パネル２，…上に導かれて軒先から流出する。横方向に列設された断続した突条１４ｂ，…の間には複数の隙間が設けられていて、水切部９に雨水が留まることを回避し、雨水を確実に流出する。
【００３６】
ベース材１の表面には、図１及び図３に示される様に、水切部９から軒側端に至る主溝１８ａ，１８ａが設けられている。図中においては、1個のベース材１に２本の主溝１８ａ，１８ａが設けられているが、主溝１８ａ，…の数は必ずしも２本に限られず、１本の主溝１８ａのみが設けられていても良く、３本以上の主溝１８ａ，…が設けられていても良い。また、主溝１８ａ，…の幅は全て等しくされていても良く、全ての主溝１８ａ，…の幅が異なっていても良く、又は一部の主溝１８ａ，…の幅のみが等しくされていても良い。
【００３７】
ベース材１の表面には、水切部９からベース材１の軒側に向けて、主溝１８ａ，…と平行な副溝１８ｂ，…が設けられている。更に、副溝１８ｂ，…の軒側端と連通し、軒側に向けて斜設された斜設溝１８ｃ，…が、主溝１８ａ，…の中間部と連通している。図１及び図３においては、２本の斜設溝１８ｃ，１８ｃの棟側端が逆Ｖ字状に連通し、当該斜設溝１８ｃ，１８ｃによって隣り合う主溝１８ａ，１８ａが連結されているが、必ずしもこれに限られず、斜設溝１８ｃ，１８ｃが夫々独立して設けられていても良い。
【００３８】
水切部９の軒側端の、主溝１８ａ，…の設けられた部分は、主溝１８ａ，…と等しい幅だけ切り欠かれていて、図８及び図１０に示される様に略Ｌ字状の板金１７，…が載置配設可能とされている。板金１７，…の幅は主溝１８ａ，…の幅と略等しくされ、また、主溝１８ａ，…は副溝１８ｂ，…及び斜設溝１８ｃ，…より板金１７，…の厚みの分だけ深く穿設されている。これによって、板金１７，…を載置配設した際に、板金１７，…の水平部上面と斜設溝１８ｃ，…が、及び板金１７，…の垂直部軒側端面と水切部９が、夫々面一となる様にされている。
【００３９】
平板パネル２，…は、図８及び図１０に示される様に、ベース材１状に載置・配設され、接着される。接着の方法は特に限定されないが、例えば、図８中に斜線で示されるベース材１及び板金１７，…上のＧ部に接着剤を塗布した後、平板パネル２，…を載置して接着する。この際、左右隣接する平板パネル２，２間の空隙が板金１７，…の直上に位置する様にし、また、平板パネル２，…の棟側端面を水切部９及び板金１７，…の垂直部軒側端面に当接させる。斯様に構成された本考案の屋根構造材によれば、左右隣接する平板パネル２，２間の空隙から落下した雨水は、板金１７，…上を伝って下段の平板パネル２上に落下し、以降順次下段の平板パネル２，…上に導かれて軒先から流出する。雨水の一部が、前記左右隣接する平板パネル２，２間の空隙から平板パネル２，２の裏面に伝わることがあるが、当該雨水の一部も、副溝１８ｂ，…から斜設溝１８ｃ，…を経て主溝１８ａ，…に導かれ、板金１７，…上を伝って下段の平板パネル２上に落下する。尚、前記接着剤としては、例えば発泡ポリウレタンを用いることができるが、ベース材１と平板パネル２，…、及び板金１７，…と平板パネル２，…を接着可能であれば良く、必ずしもその種類を限定するものではない。
【００４０】
水切部９の棟側端には固定金物１９，…が係止配設され、固定金物１９，…に穿設された釘穴１９ａ，…を挿通する釘４，…によって、固定金物１９，…がベース材１に止着されると共に、ベース材１が野地板３に固定されている。ベース材１の押さえ部８は、上段のベース材１の差込部７を押さえ込むことにより、風雨等によるベース材１，…のめくり上がりを防いでいる。
【００４１】
固定金物１９は、剛性を有する金属で作成され、その棟側端が下方に向けて略Ｌ字状に屈曲されて係止部１９ｂが設けられると共に、軒側端は上方に向け略コ字状に屈曲されて支承部１９ｃが形成されている。
【００４２】
連続した突条１４ａの固定金物１９，…を取り付ける部分は、固定金物１９，…を取り付けた際に面一となる様に棟側端面及び上面が凹まされて、係止凹部１４ｃが設けられている。図１，図８及び図１０においては、連続した突条１４ａと断続した突条１４ｂ，…に、固定金物１９，…の厚みと略等しい高低差が設けられていて、固定金物１９，…を係止配設した際に、固定金物１９，…が断続した突条１４ｂ，…上に安定に載置される様にされているが、固定金物１９，…が充分に薄く、固定金物１９，…を配設しても隣接するベース材１，１間に当接隙間を生じない場合には必ずしも係止凹部１４ｃ，…を設ける必要は無い。
【００４３】
図７（ｂ）において、固定金物１９には３個の釘穴１９ａ，…が設けられているが、固定金物１９及びベース材１を安定に止着可能であれば必ずしもこれに限られず、２個以上の任意数の釘穴１９ａ，…が設けられていれば良い。また、雨水の浸入をより確実に防止するために、釘穴１９ａ，…の上方又は下方に防水シールを貼着した後に釘打ちすることもできる。
【００４４】
支承部１９ｃは、上段の平板パネル２の軒側端に係止可能な位置に設けられ、前記上段の平板パネル２を支承する様にされている。これによって、平板パネル２，…は、より安定に配設される。
【００４５】
図１０に示される様に、上下連設されるベース材１，１の裏面側には、釘４，…が挿通可能な隙間が設けられている。この様に形成することによって、ベース材１，…を軒先から１段ずつ配設することが可能となり、本考案に係る屋根構造を形成することが容易となる。
【００４６】
本考案に係る屋根構造材の軒先部分においては、図１１に示される様に、防水シート１６上にスタート桟２０を止着し、当該スタート桟２０と嵌合可能な嵌合凹部２１，…を有するベース材１’…を配設し止着することもできる。本考案に係る屋根構造は、ベース材１，…及び平板パネル２，…を軒先から順次配設することによって構成されるから、軒先に設けられる１段目のベース材１，…を適切な位置に配置することは、屋根構造を正確に形成する上で重要である。スタート桟２０を配置して止着し、１段目にベース材１’，…を配設・止着した場合、より正確な施工が可能となる。尚、ベース材１’，…及びスタート桟２０を用いることは、本考案に係る屋根構造を構成するための一実施態様に過ぎず、ベース材１，…を用いることを妨げるものではない。
【００４７】
ベース材１’は、差込部７が形成されず軒側端面が平らとされていて、また、裏面には嵌合凹部２１が設けられているが、その余の部分は上記ベース材１と同様である。スタート桟２０は、図７（ｃ）に示される様に、略方形状の角材であって、下面には水抜き孔２０ａ，…が穿設されている。雨水は水抜き孔２０ａ，…を通って排出されるから、空気層及び流水部１１からの雨水の排出が妨げられることは無い。
【００４８】
本考案の屋根構造材の施工工法は、下記の手順で行われる。
【００４９】
〔１〕図８及び図１０に示される様に、防水シート１６を敷設した野地板３上の軒先に、１段目のベース材１，…を、相互に左右当接させながら、載置・配設する。ベース材１，…を載置する代りに、予め止着されたスタート桟２０に嵌合凹部２１を嵌合する様にして、ベース材１’，…を載置・配設しても良い。
【００５０】
〔２〕固定金物１９，…を、ベース材１，…又はベース材１’，…の水切部９上に配設し、釘孔１９ａ，…に挿通された釘４，…で止着する。これによって、前記ベース材１，…又はベース材１’，…を、野地板３に固定する。
【００５１】
〔３〕板金１７，…を、前記ベース材１，…又はベース材１’，…上に載置し、配設する。
【００５２】
〔４〕前記ベース材１，…又はベース材１’，…、及び板金１７，…水平部の上面に接着剤を塗布する。板金１７，…の水平部には、略中央を残して左右両側に接着剤を塗布することにより、雨水の流路を確保する（図８参照）。
【００５３】
〔５〕前記ベース材１，…又はベース材１’，…、及び前記板金１７，…水平部の上面に、平板パネル２，…を載置し、接着する。平板パネル２，…の棟側端面を水切部９の軒側端面に当接させると共に、左右隣り合う平板パネル２，２間には隙間を設け、地震・台風、その他の振動等による位置ずれによって、平板パネル２，…が相互に接触し破損しない様にする。同時に、左右隣り合う平板パネル２，２間の隙間が板金１７，…上に配置される様にして、雨水が板金１７，…上を通り効率的に排出される様にする。
【００５４】
〔６〕前記ベース材１，…又はベース材１’，…の押さえ部８，…と、次段ベース材１，…の差込部７，…を重ねる様にして、次段ベース材１，…を、相互に左右連設させつつ載置・配設する。
【００５５】
以下、上記〔２〕乃至〔６〕の操作を繰り返す。この際、下段のベース材１，…又はベース材１’，…に設けられた固定金物１９，…の支承部１９ｃに平板パネル２，…の軒側端を嵌合させ、平板パネル２，…を支承する。
【００５６】
ケラバ，陸棟，隅棟等の部位に対しては、ベース材１，…又はベース材１’，…及び平板パネル２，…を適宜切除し、又は予め当該部位に適した形状に成型されたベース材１，…又はベース材１’，…及び平板パネル２，…を用いる。また、軒先やケラバ等の、ベース材１，…又はベース材１’，…が露出する部位においては、それらベース材を覆うための表面材を更に止着しても良い。
【００５７】
尚、本考案の屋根構造材は、上記手順によって構成されるが、同一部材を用いて同一形状を達成できれば、必ずしも上記手順によることに限定されるものではない。
【図面の簡単な説明】
【００５８】
【図１】本考案に係るベース材を示す斜視図である。
【図２】本考案に係るベース材を示す裏面斜視図である。
【図３】本考案に係るベース材を示す上面図である。
【図４】図３のＡ−Ａ線断面図である。
【図５】本考案に係るベース材を示す図面で、（ａ）は側面図であり、（ｂ）は図３のＢ−Ｂ線断面図である。
【図６】図５（ａ）のＰ矢視平面図である。
【図７】本考案に係る部材を示す図面で、（ａ）は板金の斜視図、（ｂ）は固定金物の斜視図、（ｃ）はスタート桟の斜視図である。
【図８】平板パネルの一部を切り開いて示す、本考案の屋根構造材の分解斜視図である。
【図９】本考案の屋根構造材の裏面斜視図である。
【図１０】本考案の屋根構造材を示す側方視断面図である。
【図１１】軒先付近の屋根構造材を示す側方視断面図である。
【符号の説明】
【００５９】
１，１’  ベース材
２  平板パネル
３  野地板
４  釘
７  差込部
８  押さえ部
９  水切部
１０  縦桟部
１０ａ  連続した縦桟
１０ｂ  断続した縦桟
１１  空気層及び流水部
１３  溝
１４ａ  連続した突条
１４ｂ  断続した突条
１４ｃ  係止凹部
１６  防水シート（ルーフィング）
１７  板金
１８ａ  主溝
１８ｂ  副溝
１８ｃ  斜設溝
１９  固定金物
１９ａ  釘穴
１９ｂ  係止部
１９ｃ  支承部
２０  スタート桟
２０ａ  水抜き孔
２１  嵌合凹部
【図１】
0003146077.tif 000003
【図２】
0003146077.tif 000004
【図３】
0003146077.tif 000005
【図４】
0003146077.tif 000006
【図５】
0003146077.tif 000007
【図６】
0003146077.tif 000008
【図７】
0003146077.tif 000009
【図８】
0003146077.tif 000010
【図９】
0003146077.tif 000011
【図１０】
0003146077.tif 000012
【図１１】
0003146077.tif 000013